(57)【要約】  一実施形態に係る取付位置調整部材は、軸部と、前記軸部の外周に設けられた雄ねじ部と、を有する筐体と、前記筐体が挿通された筒部と、前記筒部の内周に設けられ、前記雄ねじ部と噛み合う雌ねじ部と、を有するナット部材と、を備えた取付位置調整部材であって、前記雄ねじ部は、前記軸部の軸方向に延びる平面又は凹面である被当接面を有し、前記筒部は、前記雄ねじ部に向かって付勢され、前記被当接面と接触することにより前記ナット部材を所定位置に保持する、前記軸部の軸方向に延びた弾性舌片を有する。
2019093126.tif 000002
【特許請求の範囲】
【請求項１】
軸部と、前記軸部の外周に設けられた雄ねじ部と、を有する筐体と、
前記筐体が挿通された筒部と、前記筒部の内周に設けられ、前記雄ねじ部と噛み合う雌ねじ部と、を有するナット部材と、
を備えた取付位置調整部材であって、
前記雄ねじ部は、前記軸部の軸方向に延びる平面又は凹面である被当接面を有し、
前記筒部は、前記雄ねじ部に向かって付勢され、前記被当接面と接触することにより前記ナット部材を所定位置に保持する、前記軸部の軸方向に延びた弾性舌片を有することを特徴とする取付位置調整部材。
【請求項２】
前記雄ねじ部は、複数の前記被当接面を有する
請求項１に記載の取付位置調整部材。
【請求項３】
前記筒部は、複数の前記弾性舌片を有する
請求項１又は請求項２に記載の取付位置調整部材。
【請求項４】
前記被当接面の前記断面形状は、前記雄ねじ部の外周の２点を結ぶ直線又は曲線である
請求項１から請求項３までのいずれか１項に記載の取付位置調整部材。
【請求項５】
前記雄ねじ部の前記断面形状は、多角形である
請求項４に記載の取付位置調整部材。
【請求項６】
前記雄ねじ部の前記断面形状は、２ｎ角形（ｎは２以上の整数）である
請求項５に記載の取付位置調整部材。
【請求項７】
前記筒部は、前記軸部を挟んで対向する２つの前記弾性舌片を有する
請求項３から請求項６までのいずれか１項に記載の取付位置調整部材。
【請求項８】
前記弾性舌片は、前記被当接面に接触する当接面を有する
請求項１から請求項７までのいずれか１項に記載の取付位置調整部材。
【請求項９】
前記雄ねじ部の熱膨張係数は、前記雌ねじ部の熱膨張係数より大きい
請求項１から請求項８までのいずれか１項に記載の取付位置調整部材。
【請求項１０】
前記筐体及び前記ナット部材は、樹脂製である
請求項１から請求項９までのいずれか１項に記載の取付位置調整部材。
【請求項１１】
請求項１から請求項１０までのいずれか１項に記載の取付位置調整部材と、
前記筐体に固定された固定接点と、
前記固定接点と接離する可動接点と、
を備えたスイッチ装置。
【発明の詳細な説明】
【技術分野】
【０００１】
本発明は、取付位置調整部材及びスイッチ装置に関する。
【背景技術】
【０００２】
自動二輪車等の車両には、運転者によるブレーキの操作状態を検出してストップランプを点灯させるためのスイッチ装置が設置されている。【０００３】
従来のスイッチ装置としては、下記の特許文献１に記載のスイッチ装置が知られている。【０００４】
以下、図１３及び図１４を用いて特許文献１に記載のスイッチ装置について説明する。図１３は、スイッチ装置９０７の断面図である。図１４は、スイッチ装置９０７の外観正面図である。【０００５】
特許文献１に記載のスイッチ装置９０７は、図１３に示すように、筒状のケース９１０（筐体）と、ケース内に装着されたブランジャ９１１と、ブランジャ９１１に固着された絶縁筒９１５の外周に先端が接触するように設けられたリード接点９１８、９１９と、絶縁筒９１５の外周に嵌着された筒状接点９１６を具備している。ブランジャ９１１は、ブレーキアーム（不図示）に連結されている。また、リード接点９１８、９１９は導線９２０、９２１を介してストップランプ（不図示）に接続される。この構造において、リード接点９１８、９１９は、ブランジャ９１１がブレーキアームの操作によってケース９１０から引き出される方向に変位したとき、筒状接点９１６に接触する。これによりスイッチ装置９０７は導通状態となり、ストップランプを点灯させる。
【先行技術文献】
【特許文献】
【０００６】
【特許文献１】特開２００７−１９３９７３号公報
【発明の概要】
【発明が解決しようとする課題】
【０００７】
特許文献１に記載のスイッチ装置９０７は、図１３、図１４に示すように、ケース９１０のブランジャ９１１が突出する方向側の外周にはねじ部９２４が設けられており、このねじ部９２４には、調整ナット９２５（ナット部材）が螺合されている。調整ナット９２５はつまみ部９２５ａと嵌合部９２５ｂからなり、嵌合部９２５ｂは自動二輪車の車体フレーム（不図示）に嵌合され、スイッチ装置９０７を車体に保持させている。ここで、調整ナット９２５をケース９１０に対して回転させることによってスイッチ装置９０７とブレーキアームとの距離（ケース９１０の取付位置）を調整することができ、接点位置の設定を行うことができる。しかしながらスイッチ装置９０７を車体に取り付けたまま接点位置の設定をできるようにするため、調整ナット９２５はケース９１０に対して常時回動可能な構成となっている。ゆえに、外部からの衝撃や揺れによって、調整ナット９２５が意図せず回転し、ケース９１０の取付位置がずれ、設定済みの接点位置がずれてしまうおそれがあった。【０００８】
本発明は、筐体に対するナット部材の回転を抑制できる取付位置調整部材、及びこの取付位置調整部材を備えたスイッチ装置を提供するものである。
【課題を解決するための手段】
【０００９】
本発明の取付位置調整部材は、軸部と、前記軸部の外周に設けられた雄ねじ部と、を有する筐体と、前記筐体が挿通された筒部と、前記筒部の内周に設けられ、前記雄ねじ部と噛み合う雌ねじ部と、を有するナット部材と、を備えた取付位置調整部材であって、前記雄ねじ部は、前記軸部の軸方向に延びる平面又は凹面である被当接面を有し、前記筒部は、前記雄ねじ部に向かって付勢され、前記被当接面と接触することにより前記ナット部材を所定位置に保持する、前記軸部の軸方向に延びた弾性舌片を有する。
【発明の効果】
【００１０】
本発明によれば、筐体に対するナット部材の回転を抑制できる。
【図面の簡単な説明】
【００１１】
【図１】本実施形態に係るスイッチ装置１００の外観図である。
【図２】本実施形態に係るスイッチ装置１００（非導通状態）の断面図である。
【図３】本実施形態に係るスイッチ装置１００（導通状態）の断面図である。
【図４】本実施形態に係るスイッチ装置１００の分解斜視図である。
【図５】本実施形態に係る下ケース２の外観図である。
【図６】本実施形態に係る作動軸３の部分拡大図である。
【図７】本実施形態に係る移動部材４の外観図である。
【図８】本実施形態に係る可動接点５の外観図である。
【図９】本実施形態に係るシール部材８の外観図である。
【図１０】本実施形態に係るスイッチ装置１００の平面図である。
【図１１】本実施形態に係るスイッチ装置１００の平面図である。
【図１２】本実施形態に係るスイッチ装置１００の平面図である。
【図１３】特許文献１に記載のスイッチ装置９０７の断面図である。
【図１４】特許文献１に記載のスイッチ装置９０７の外観正面図である。
【発明を実施するための形態】
【００１２】
以下、本発明の実施の形態について、図１〜図９を用いて説明する。なお、以下においては、図１中のＸ１、Ｘ２方向を左右方向、Ｙ１、Ｙ２方向を上下方向、Ｚ１、Ｚ２方向を前後方向と呼ぶ。
【００１３】
はじめに、本実施形態におけるスイッチ装置１００の構成について、図１、図２、図４〜図９を用いて説明する。図１は、本実施形態に係るスイッチ装置１００の外観図である。図２は、本実施形態に係るスイッチ装置１００（非導通状態）の図１に示すＡ−Ａ断面を示す断面図である。図４は、本実施形態に係るスイッチ装置１００の分解斜視図である。図５は、本実施形態に係る下ケース２の外観図である。図６は、本実施形態に係る作動軸３の図４に示す一点鎖線Ｂで囲む領域を上下方向で反転して拡大した部分拡大図である。図７は、本実施形態に係る移動部材４の外観図である。図８は、本実施形態に係る可動接点５の外観図である。図９は、本実施形態に係るシール部材８の外観図である。
【００１４】
スイッチ装置１００は、筐体１０を構成する上ケース１と下ケース２と、作動軸３と、移動部材４と、可動接点５と、固定接点６と、ばね７と、シール部材８と、ナット部材９と、を有する。ナット部材９及び筐体１０は、車体に対する筐体１０の取付位置を調整するための取付位置調整部材１１を構成する。
【００１５】
上ケース１は、絶縁樹脂製で両面が開口した筒状に形成され、上部の第１筒部１ａと第１筒部１ａの径よりも径が大きい下部の第２筒部１ｂからなる。第１筒部１ａは、筐体１０の軸部に相当する。第１筒部１ａの外周には雄ねじ部１ｄが形成され、第２筒部１ｂには下端から上部に向かって略Ｔ字状に形成された部分を有する凹部１ｃが前後方向に一対形成されている。また、図２に示すように、第１筒部１ａの上面開口近くの内周には段部１ｅが形成され、第１筒部１ａと第２筒部１ｂの境界部分の内周には内側段部１ｆが形成されている。
【００１６】
雄ねじ部１ｄは、その外周に少なくとも１つの被当接面１ｇを有する。被当接面１ｇは、雄ねじ部１ｄの外周に設けられた、軸方向（上下方向）に延びる平面又は凹面である。被当接面１ｇが平面である場合、被当接面１ｇの軸方向と垂直な断面形状は、雄ねじ部１ｄの外周の２点を結ぶ直線となる。また、被当接面１ｇが凹面である場合、被当接面１ｇの軸方向と垂直な断面形状は、雄ねじ部１ｄの外周の２点を結ぶ曲線（円弧や放物線など）や外周の２点を結ぶ直線の中間に凹形状がある線となる。図１の例では、雄ねじ部１ｄは、８つの被当接面１ｇ（平面）を有するため、雄ねじ部１ｄの外形、すなわち、軸方向（上下方向）と垂直な断面形状は、８つの直線からなる八角形である。しかしながら、本実施形態において、雄ねじ部１ｄの外形は、八角形に限られず、被当接面１ｇに応じた任意の形状で有り得る。
【００１７】
例えば、雄ねじ部１ｄの外形は、複数の直線からなる任意の多角形であってもよい。ここでいう多角形には、角部が円弧上に面取りされた多角形が含まれる。特に、雄ねじ部１ｄの外形は、四角形、六角形、八角形などの、２ｎ角形（ｎは２以上の整数）であるのが好ましい。これは、雄ねじ部１ｄが２ｎ個の被当接面１ｇを有することに相当する。これにより、雄ねじ部１ｄ及び弾性舌片９ｂの設計を容易にできる。弾性舌片９ｂについては後述する。
【００１８】
なお、図１の例では、被当接面１ｇは、雄ねじ部１ｄの軸方向の全長に亘って設けられているが、雄ねじ部１ｄの軸方向の一部に設けられてもよい。例えば、弾性舌片９ｂと接触しない雄ねじ部１ｄの下端部には、被当接面１ｇは設けられなくてもよい。
【００１９】
下ケース２は、図２及び図５に示すように、上面が開口した略筒状の絶縁樹脂製の部材であり、筒状基部２ａと筒状基部２ａの径よりも径が小さい筒状突出部２ｂからなる。筒状基部２ａの内部には壁部２ｅが形成されている。また、略Ｔ字状に形成された部分を有する凸部２ｃが、筒状基部２ａの上面から上方に突出して形成されている。凸部２ｃは前後方向に一対形成されている。筒状突出部２ｂの上面には環状溝部２ｄが形成されている。
【００２０】
作動軸３は、絶縁樹脂製で上下方向に延伸して形成された円柱状の部材であり、上部には前後方向に貫通した接続孔３ａが形成されている。下部には周方向に環状に突出した鍔部３ｂが形成されている。図６に示すように、鍔部３ｂの下面の中心位置には突起３ｃが形成されている。また、鍔部３ｂの下面には突起３ｃを挟んで、フック形状部３ｄが対向して一対形成されている。一対のフック形状部３ｄの外側面は鍔部３ｂの下面の円周方向に沿って円弧状に形成されている。一方、一対のフック形状部３ｄの内側面は平面状に形成されている。一対のフック形状部３ｄの下部には、互いに近づく方向に突出した突出部３ｅがそれぞれ形成されている。一対のフック形状部３ｄの突出部３ｅは互いに近づく方向に面する嵌合面３ｆをそれぞれ有する。それぞれの嵌合面３ｆは円弧状に形成されている。以上の構成により、一対のフック形状部３ｄは、先端が折り曲げられたようなフック形状をなしている。
【００２１】
移動部材４は、絶縁樹脂製で作動軸３と同様に上下方向に延伸して形成され、作動軸３の鍔部３ｂの径よりも径が小さく、かつ作動軸３の上下方向の全長より長さが短い円柱状の部材である。上面の中心位置には有底の丸穴４ｄが形成されている。図７に示すように、外周には上部から下部に向かって順に環状の第１溝部４ａ、環状の第２溝部４ｂが形成されている。下部には４本の脚部４ｃが形成され、下面には脚部４ｃに囲まれて突部４ｅが形成されている。
【００２２】
可動接点５は、図８に示すように、１つの導電性金属部材を折り曲げ加工して形成され、左右方向には接点部５ａが基部５ｂを挟んでそれぞれ形成されている。接点部５ａは、基部５ｂからそれぞれ２本の腕部５ｃが略コ字状に延出され、自由端で近接して対向したクリップ形状をなしている。基部５ｂの中央位置には上下方向に貫通した貫通孔５ｄが形成されている。
【００２３】
固定接点６は、板状の導電性金属部材であり、電気的に独立して一対形成されている。
それぞれの上部に接触部６ａを有し、下部に端子部６ｂを有する。
【００２４】
ばね７は、上下方向に延伸して形成されたコイルばねである。径は作動軸３の接続孔３ａが形成されている円柱部分の径よりもより大きく、鍔部３ｂの径よりも小さくなっている。
【００２５】
シール部材８は、ゴムやエラストマー等の弾性材製であり、図９に示すように、内周の開口部８ａと外周の環状部８ｂ、及びこれらを連結する薄肉部８ｃからなる。環状部８ｂには薄肉部８ｃと同じ方向に突出した環状突部８ｄが形成されている。
【００２６】
ナット部材９は、外形が六角形の筒部９ａと、筒部９ａの上面から上方に延出した弾性舌片９ｂと、筒部９ａの上面から上方に延出した支持部９ｃと、からなる絶縁樹脂製の部材である。
【００２７】
筒部９ａは、両面が開口した筒状に形成され、内周に雌ねじ部９ｄが形成される。筒部９ａは、上ケース１を挿通され、雄ねじ部１ｄと雌ねじ部９ｄとが噛み合った状態で、上ケース１と連結される。すなわち、筒部９ａ（ナット部材９）は、上ケース１と螺合される。なお、筒部９ａの外形は、六角形に限られず、任意の形状で有り得る。
【００２８】
弾性舌片９ｂは、雄ねじ部１ｄの被当接面１ｇと接触可能なように、筒部９ａの上面から上方（軸部の軸方向）に延出した部分であり、弾性を有する板状に形成され、雄ねじ部１ｄに向かって付勢される。弾性舌片９ｂは、その内周に、所定の位置で被当接面１ｇと接触可能な当接面９ｅを有する。当接面９ｅは、軸方向（上下方向）に延びる平面又は凸面であり、被当接部１ｇと接触可能な形状に形成される。弾性舌片９ｂの当接面９ｅが、被当接面１ｇに向かって付勢された状態で被当接面１ｇと接触することにより、ナット部材９がその位置で保持され、上ケース１に対するナット部材９の回転が抑制される。好適には、雄ねじ部１ｄの熱膨張係数は、雌ねじ部９ｄの熱膨張係数より大きい。これにより、雌ねじ部９ｄに対して雄ねじ部１ｄを取り付けた後に、摩擦熱、エンジン熱、排気熱、外気等の影響により、取り付け時より温度が変化することによって雄ねじ部１ｄ及び雌ねじ部９ｄが熱膨張した場合に、雌ねじ部９ｄに対して雄ねじ部１ｄが密接する方向へと相対的に近づくように膨張する。これにより、ねじ緩みが抑制され、上ケース１に対するナット部材９の回転が抑制される。一例として、熱膨張係数が１０．５（１０−５／℃）のＰＢＴ（ポリブチレンテレフタレート）製の雄ねじ部１ｄと、熱膨張係数が２．６〜５．０（１０−５／℃）のＰＰＳ（ポリフェニレンサルファイド）製の雌ねじ部９ｄと、の組合せを用いることができるが、これに限定されるものではなく、雄ねじ部１ｄ及び雌ねじ部９ｄの材料は、任意の樹脂、金属又はその他の材料の組み合わせであってよい。
【００２９】
ナット部材９が備える弾性舌片９ｂの数は任意である。ナット部材９が１つの弾性舌片９ｂを備える場合、弾性舌片９ｂは、当接面９ｅと被当接面１ｇとが接触可能な任意の位置に配置できる。一方、ナット部材９が複数の弾性舌片９ｂを備える場合、各弾性舌片９ｂは、各当接面９ｅがそれぞれ異なる被当接面１ｇと同時に接触及び離間するように配置されるのが好ましい。例えば、図１の例のように、雄ねじ部１ｄの外形が八角形である場合、各弾性舌片９ｂは、それぞれ筒部９ａの中心から４５度間隔の位置のいずれかに配置されるのが好ましい。各弾性舌片９ｂの当接面９ｅが同時に異なる被当接面１ｇと接触することにより、上ケース１に対するナット部材９の回転を効果的に抑制できる。
【００３０】
また、ナット部材９が複数の弾性舌片９ｂを備える場合、各弾性舌片９ｂは、他の弾性舌片９ｂと、第１筒部１ａ（軸部）を挟んで対向する位置に配置されるのが好ましい。これにより、各弾性舌片９ｂの当接面９ｅが被当接面１ｇに接触した際に、各弾性舌片９ｂから被当接面１ｇに加えられる荷重を均一化し、上ケース１の傾きを抑制できる。
【００３１】
図１の例のように、雄ねじ部１ｄの外形を２ｎ角形（八角形）とすることにより、一対の弾性舌片９ｂを対向して配置するだけで、弾性舌片９ｂの最適な配置（各弾性舌片９ｂが被当接面１ｇと同時に接触及び離間する配置）を実現できる。したがって、雄ねじ部１ｄの外形を２ｎ角形とすることにより、弾性舌片９ｂの設計を容易にできる。
【００３２】
支持部９ｃは、筒部９ａの上面における、弾性舌片９ｂが設けられていない部分から、筒部９ａの内周に沿って上方に延出した部分である。支持部９ｃは、雄ねじ部１ｄの角部（被当接面１ｇの端部）と接触し、筒部９ａに挿通された上ケース１が、軸方向と垂直な方向にがたつかないように、上ケース１を支持する。なお、図１の例では、一対の支持部９ｃが対向するように設けられているが、支持部９ｃの数及び配置は、図１の例に限られない。また、ナット部材９は、支持部９ｃを備えない構成も可能である。
【００３３】
次に、本実施形態におけるスイッチ装置１００の構造について、図２を用いて説明する。
【００３４】
作動軸３は、上ケース１の上面開口から接続孔３ａが上方に突出するように上ケース１に収納されている。上方に突出した接続孔３ａにはブレーキアーム（不図示）に連結されたヒッパリバネ（不図示）が接続される。また、作動軸３は、ばね７の巻回部分の内方に軸方向に沿って挿通されている。この挿通によって、ばね７は、上面が上ケース１の段部１ｅと対向するとともに、下面が作動軸３の鍔部３ｂの上面に対向して配置されている。
【００３５】
移動部材４は、上ケース１及び下ケース２内に配置されている。移動部材４の第２溝部４ｂはシール部材８の開口部８ａに係止されている。これにより、移動部材４はシール部材８に一体化されている。このとき、第２溝部４ｂの径が開口部８ａの径よりも大きく形成されているので、開口部８ａは押し広げられて第２溝部４ｂに弾接している。また、移動部材４の下面には可動接点５が固定されている。可動接点５の貫通孔５ｄに突部４ｅが挿通され、スナップフィットにより、可動接点５は移動部材４に取り付けられ、固定されている。
【００３６】
ここで、作動軸３のフック形状部３ｄの嵌合面３ｆを移動部材４の第１溝部４ａに嵌め合わせるとともに、軸ズレを抑制するべく作動軸３の突起３ｃを移動部材４の丸穴４ｄに挿入することによって、作動軸３と移動部材４は嵌合されている。この嵌合によって、作動軸３と移動部材４は、ブレーキアームの操作により軸方向（上下方向）に一体的に往復動することができるとともに、周方向には相対的に回動可能となっている。
【００３７】
固定接点６は、下ケース２の内部に固定されている。一方、固定接点６の端子部６ｂは、下ケース２の壁部２ｅから突出し、ハーネス（不図示）等によってストップランプ（不図示）に接続される。
【００３８】
上ケース１と下ケース２は、上ケース１の凹部１ｃと下ケース２の凸部２ｃが係合することによって、筐体１０として一体化されている。また、下ケース２の筒状突出部２ｂの上面に形成されている環状溝部２ｄにシール部材８の環状突部８ｄが嵌った状態で、上ケース１の内側段部１ｆと筒状突出部２ｂとの間にシール部材８の環状部８ｂが挟み込まれている。同時に、下ケース２に固定された固定接点６は可動接点５と所定の距離を開けて配置され、すなわち、筐体１０に固定されている。このとき、移動部材４の４本の脚部４ｃは下ケース２の壁部２ｅの上面と面接触する。
【００３９】
以上の構成により、移動部材４と一体化したシール部材８の環状部８ｂが上ケース１と下ケース２に挟み込まれているため、作動軸３が収納されている空間と可動接点５及び固定接点６が収納されている空間とに筐体１０内の空間は分離されている。
【００４０】
さらに、シール部材８が上ケース１と下ケース２に挟持されているため、シール部材８と一体化した移動部材４は筐体１０に間接的に保持されることとなる。ゆえに、移動部材４に対して相対的に回動可能となっている作動軸３は、筐体１０に対しても相対的に回動可能となっている。したがって、作動軸３と移動部材４は軸方向に一体的に往復動するとともに、作動軸３は筐体１０及び移動部材４に対して相対的に回動可能となっている。
【００４１】
ナット部材９は、上ケース１に螺合されている。このとき、支持部９ｃはブレーキアームが設けられている車体（不図示）の固定部（不図示）に固定され、スイッチ装置１００は車体に保持される。ナット部材９は、筒部９ａを周方向に回すように操作すると雄ねじ部１ｄに沿って上下方向に移動するようになっている。したがって、筒部９ａを周方向に回すことにより、上ケース１を上下方向に移動させ、スイッチ装置１００とブレーキアームとの距離を調整し、ブレーキアームの操作に伴うストップランプの点灯するタイミングを調整することができる。
【００４２】
次に、本実施形態におけるスイッチ装置１００の導通時の動作について図２、図３を用いて説明する。図３は同スイッチ装置１００（導通状態）の図１に示すＡ−Ａ断面を示す断面図である。まず、ブレーキアームが操作されていない状態では、図２に示すように、可動接点５と固定接点６とが接触していない状態にあるため、固定接点６の一対の接触部６ａ間が電気的に切断されているため、ストップランプは消灯した状態となっている。
【００４３】
そして、ブレーキアームが操作されると、ばね７に抗して作動軸３が上ケース１から突出する方向に移動する。したがって、図３に示すように、可動接点５のクリップ形状の接点部５ａが固定接点６の接触部６ａを挟み込むように接触することによって、一対の固定接点６間は可動接点５を介して電気的に接続された状態となり、ストップランプが点灯する。
【００４４】
次に、本実施形態におけるスイッチ装置１００とブレーキアームとの距離（筐体１０の取付位置）の調整時の動作について図１０〜図１２を用いて説明する。図１０〜図１２はスイッチ装置１００の平面図（上方から見た図）である。
【００４５】
図１０の例では、ナット部材９の一対の弾性舌片９ｂの当接面９ｅは、それぞれ上ケース１の左後方向及び右前方向に位置する被当接面１ｇに接触している。このように、弾性舌片９ｂの当接面９ｅと被当接面１ｇとが接触することにより、ナット部材９は、回転を抑制され、筐体１０の車体に対する取付位置が、図１０のナット部材９に対応する位置に固定される。これは、接点位置が、図１０のナット部材９の位置に対応する雄ねじ部１ｄの軸方向の位置に設定されることに相当する。
【００４６】
図１０のナット部材９に、弾性舌片９ｂが雄ねじ部１ｄの角部（被当接面１ｇの端部）を乗り越えるだけの力を加え、ナット部材９を時計回りに回転させると、図１１に示すように、弾性を有する弾性舌片９ｂが外側に撓み、雄ねじ部１ｄの角部と接触する。
【００４７】
図１１のナット部材９を更に時計回りに回転させると、図１２に示すように、ナット部材９の一対の弾性舌片９ｂの当接面９ｅは、それぞれ上ケース１の左方向及び右方向の被当接面１ｇに接触する。これにより、ナット部材９は、回転を抑制され、筐体１０の車体に対する取付位置が、図１２のナット部材９に対応する位置に固定される。これは、接点位置が、図１２のナット部材９の位置に対応する雄ねじ部１ｄの軸方向の位置に設定されることに相当する。図１２の取付位置（接点位置）は、図１０の取付位置（接点位置）から、雄ねじ部１ｄの１／８ピッチだけずれた位置である。
【００４８】
以下、本実施形態としたことによる効果について説明する。
【００４９】
本実施形態のスイッチ装置１００は、第１筒部１ａ（軸部）と、第１筒部１ａの外周に設けられた雄ねじ部１ｄと、を有する筐体１０と、上ケース１が挿通された筒部９ａと、筒部９ａの内周に設けられ、雄ねじ部１ｄと噛み合う雌ねじ部９ｄと、を有するナット部材９と、により構成される取付位置調整部材１１を備える。雄ねじ部１ｄは、少なくとも１つの被当接面１ｇを有し、筒部９ａは、弾性を有し、被当接面１ｇと接触可能な弾性舌片９ｂを有する。
【００５０】
これにより、所定の位置で弾性舌片９ｂの当接面９ｅと被当接面１ｇとが接触し、ナット部材９の回転が抑制され、取付位置が固定される。この結果、外部からの衝撃や揺れによって、ナット部材９が意図せず回転し、筐体１０の取付位置がずれ、設定済みの接点位置がずれることを抑制できる。
【００５１】
また、雄ねじ部１ｄに複数の被当接面１ｇを設けることにより、取付位置（接点位置）の微調整が可能となる。例えば、雄ねじ部１ｄの外形を２ｎ角形とすることにより、取付位置（接点位置）を、雄ねじ部１ｄの１／２ｎピッチずつ調整することができる。
【００５２】
本実施形態のスイッチ装置１００では、筐体１０と、筐体１０に固定された固定接点６と、一端が筐体１０から突出して、軸方向に往復動するように筐体１０内に収納された作動軸３と、軸方向に往復動するように筐体１０に保持された移動部材４と、固定接点６と接離する可動接点５と、を備えたスイッチ装置１００において、可動接点５は移動部材４に固定され、作動軸３と移動部材４とが嵌合手段により嵌合され、作動軸３と移動部材４は軸方向に一体的に往復動するとともに、作動軸３が筐体１０に対して相対的に回動可能かつ作動軸３が移動部材４に対して相対的に回動可能となっている、構成とした。
【００５３】
これにより、作動軸３と移動部材４は軸方向に一体的に往復動し、かつ作動軸３は筐体１０に対して相対的に回動可能である。よって、接点位置の設定において筐体１０を回転させるとき、作動軸３は筐体１０の回動に追従しないため、車体に取り付けたまま接点位置の設定をすることができる。また、筐体１０に固定された固定接点６及び移動部材４に固定された可動接点５は、筐体１０の回動に追従する一方で、筐体１０に対して相対的に回動可能である作動軸３の回動には追従しない。よって、接点位置の設定時や外部からの衝撃・揺れ・振動によって作動軸３が回動したとしても、それぞれの接点は該回動方向に摺動することがないため、接点の摩耗を低減し、電気的接続を安定させることができる。したがって、スイッチ装置１００を車体に取り付けたまま接点位置の設定を可能とするとともに、接点の摩耗を低減し、電気的接続を安定させる、という効果を奏する。
【００５４】
また、本実施形態のスイッチ装置１００では、嵌合手段は、作動軸３に設けられたフック形状からなる、こととした。
【００５５】
これにより、簡易な構成により、作動軸３を筐体１０に対して相対的に回動可能とする、という効果を奏する。
【００５６】
また、本実施形態のスイッチ装置１００では、内周に開口部８ａと外周に環状部８ｂとを備えるシール部材８を有し、開口部８ａには移動部材４が挿通保持され、環状部８ｂは筐体１０に係合保持され、筐体１０内の作動軸３の収納空間と可動接点５及び固定接点６の収納空間とが分離されている、構成とした。
【００５７】
これにより、シール部材８の外周の環状部８ｂを筐体１０に保持させ、内周の開口部８ａに移動部材４を挿通保持しているため、移動部材４はシール部材８を介して筐体１０に保持される。それゆえ、接点位置の設定等の際、移動部材４は筐体１０とともに回転し、作動軸３の回動には追従しない。よって、筐体１０が回転するときには、移動部材４に固定された可動接点５と筐体１０に固定された固定接点６は相対的に回転せず各接点を変形させるような負荷か掛からないため、接点間の電気的接続を安定させることができる、という効果を奏する。
【００５８】
また、本実施形態のスイッチ装置１００では、下ケース２の筒状突出部２ｂの上面に形成されている環状溝部２ｄにシール部材８の環状突部８ｄが嵌った状態で、上ケース１の内側段部１ｆと筒状突出部２ｂとの間にシール部材８の環状部８ｂが挟み込まれている、構成とした。これにより、作動軸３が収納されている空間と可動接点５及び固定接点６が収納されている空間に筐体１０内の空間は分離される。また、環状部８ｂの挟み込みが不十分であったとしても、環状突部８ｄが環状溝部２ｄに嵌み込まれていることにより、可動接点５及び固定接点６が収納されている空間の密閉性が担保される。したがって、液体が流入しうる可動接点５及び固定接点６が収納されている空間がシールされているため、両接点への浸水を防ぐことができる。また、環状溝部２ｄにシール部材８の環状突部８ｄを嵌めることにより、シール部材８が下ケース２に仮留めされるため、上ケース１と下ケース２を組み込む際の作業効率が上がる。
【００５９】
また、本実施形態のスイッチ装置１００では、作動軸３は周方向に突出する鍔部３ｂを有し、鍔部３ｂと筐体１０の上ケース１の間に軸方向に沿ってばね７が配置され、作動軸３がばね７に抗して筐体１０の上ケース１から突出する方向に移動したときに、可動接点５は固定接点６と接触する、構成とした。
【００６０】
これにより、作動軸３の鍔部３ｂと筐体１０の上ケース１との間にばね７を配置することによって、作動軸３を筐体１０の上ケース１から突出する方向に移動させたとき、鍔部３ｂでばね７の弾性力を受けているため作動軸３を初期位置に容易に戻すことができる、という効果を奏する。
【００６１】
また、本実施形態のスイッチ装置１００では、鍔部３ｂはシール部材８より上ケース１の上面開口側に配置される、こととした。これにより、シール部材８は鍔部３ｂより上ケース１の奥方（両接点側）に配置されているため、上ケース１と作動軸３の間の空間に外部から液体が侵入してきたとき、作動軸３に沿って進入する液体に対して堤防となるため、液体が進入する勢いを弱めることができる。したがって、シール部材８まで到達する液体はその勢いが削がれているため、シール部材８に強い力が掛かることを防ぎ、変形を防ぐことができる。
【００６２】
また、本実施形態のスイッチ装置１００では、可動接点５は固定接点６を両側から挟むクリップ形状からなる、構成とした。
【００６３】
これにより、クリップ形状からなる可動接点５は固定接点６を挟み込むように接触するため、振動や衝撃が外部から加わったとしても、瞬断を防ぎ、電気的接続を安定させることができる、という効果を奏する。
【００６４】
以上のように、本発明の実施形態に係るスイッチ装置１００を具体的に説明したが、本発明は上記の実施形態に限定されるものでなく、要旨を逸脱しない範囲で種々変更して実施することが可能である。例えば次のように変形して実施することができ、これらの実施形態も本発明の技術的範囲に属する。
【００６５】
（１）本実施形態のスイッチ装置１００において、作動軸３の他端にフック形状部３ｄが形成され、移動部材４の外周に第２溝部が形成されているが、反対に作動軸３に溝部を形成し、移動部材４にフック形状部を形成してもよい。
【００６６】
（２）本実施形態のスイッチ装置１００において、フック形状部を受ける部位が溝部となっているが、突出部であっても良い。また作動軸３が回動可能であれば、フック形状からなる嵌合手段は作動軸３及び移動部材４と別の部材であってもよい。
【００６７】
（３）本実施形態のスイッチ装置１００において、筐体１０を上ケース１と下ケース２との２つの部材で構成しているが、別々の部材とせず１つの部材で構成してもよい。
【００６８】
なお、本国際出願は、２０１７年１１月１０日に出願した日本国特許出願第２０１７−２１７６７４号に基づく優先権を主張するものであり、当該出願の全内容を本国際出願に援用する。
【符号の説明】
【００６９】
１      上ケース
１ａ    第１筒部
１ｂ    第２筒部
１ｃ    凹部
１ｄ    雄ねじ部
１ｅ    段部
１ｆ    内側段部
１ｇ    被当接面
２      下ケース
２ａ    筒状基部
２ｂ    筒状突出部
２ｃ    凸部
２ｄ    環状溝部
２ｅ    壁部
３      作動軸
３ａ    接続孔
３ｂ    鍔部
３ｃ    突起
３ｄ    フック形状部
３ｅ    突出部
３ｆ    嵌合面
４      移動部材
４ａ    第１溝部
４ｂ    第２溝部
４ｃ    脚部
４ｄ    丸穴
４ｅ    突部
５      可動接点
５ａ    接点部
５ｂ    基部
５ｃ    腕部
５ｄ    貫通孔
６      固定接点
６ａ    接触部
６ｂ    端子部
７      ばね
８      シール部材
８ａ    開口部
８ｂ    環状部
８ｃ    薄肉部
８ｄ    環状突部
９      ナット部材
９ａ    筒部
９ｂ    弾性舌片
９ｄ    雌ねじ部
９ｅ    当接面
１０    筐体
１１    取付位置調整部材
１００  スイッチ装置
【図１】
2019093126.tif 000003
【図２】
2019093126.tif 000004
【図３】
2019093126.tif 000005
【図４】
2019093126.tif 000006
【図５】
2019093126.tif 000007
【図６】
2019093126.tif 000008
【図７】
2019093126.tif 000009
【図８】
2019093126.tif 000010
【図９】
2019093126.tif 000011
【図１０】
2019093126.tif 000012
【図１１】
2019093126.tif 000013
【図１２】
2019093126.tif 000014
【図１３】
2019093126.tif 000015
【図１４】
2019093126.tif 000016
【国際調査報告】
2019093126.tif 000017
2019093126.tif 000018
2019093126.tif 000019
2019093126.tif 000020